【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】      
【請求項１】  
ディジタル信号によって変調されたキャリアを発生する複素ディジタル変調器であって、
所定のサンプル・レートで発生するディジタル信号のソースと、
前記ディジタル信号に応答して前記所定のサンプル・レートより高い実効サンプル・レートＵＲのサンプルを供給する出力を有するアップサンプラと、
前記アップサンプラの出力に結合された信号入力と、キャリア入力とを有する複素変調器と、
前記キャリア入力に供給される前記より高いサンプル・レートで発生する各複素数値を有する指数キャリアを表すＳ複素数値の反復シーケンスのソースと、
を具え、前記所定のサンプル・レートに対する前記より高いサンプル・レートの比率は、周波数ＰＳの擬似キャリアを中心とする複素変調を与えるように前記変調器を条件付けるように選択されるものであり、前記擬似キャリアは、ＵＲ＋ＰＳの合計などの画像周波数を有する（ＵＲは正の値、ＰＳは複素指数キャリアを表し、Ｓは整数）、
複素ディジタル変調器。
【請求項２】  
前記アップサンプラと変調器は、リサンプラ、第１の変調器、アップサンプラおよび第２の変調器のカスケード接続からなるものである、請求項１に記載のディジタル変調器。
【請求項３】  
前記リサンプラは実効的に第１の比率でアップサンプルし、前記アップサンプラは実効的に第２の比率でアップサンプルし、これら２つの比率の積は前記所定のサンプル・レートに対する前記より高いサンプル・レートの比率に対応するものである、請求項２に記載のディジタル変調器。
【請求項４】  
前記リサンプラは実効的に毎秒１０．７６メガサンプルから毎秒１７．７６メガサンプルにアップサンプルし、前記アップサンプラは実効的に毎秒１７．７６メガサンプルから毎秒８６．０８メガサンプルにアップサンプルする、請求項３に記載のディジタル変調器。
【請求項５】  
前記リサンプラは実効的に第１の比率でダウンサンプルするダウンサンプラであり、前記アップサンプラは実効的に第２の比率でアップサンプルする、請求項２に記載のディジタル変調器。
【請求項６】  
前記リサンプラは実効的に毎秒１０．７６メガサンプルから毎秒６．２４メガサンプルにダウンサンプルし、前記アップサンプラは毎秒６．２４メガサンプルから毎秒８６．０８メガサンプルにアップサンプルする、請求項２に記載のディジタル変調器。
【請求項７】  
さらに、各値が前記リサンプラによって供給されるサンプルの発生レートに等しいレートで発生し、前記第１の変調器にキャリア信号として結合される第１の反復シーケンスの値のソースと、
各値が前記アップサンプラによって供給されるサンプルの発生レートに相当するレートで発生し、前記第２の変調器にキャリア信号として供給される第２の反復シーケンスの値のソースと、
を具える、請求項２に記載のディジタル変調器。
【請求項８】  
さらに、変調された信号として前記複素変調の実数部分のみを使用する手段を具える、請求項１に記載のディジタル変調器。
【請求項９】  
複素信号で変調された複素キャリアを発生する方法であって、
所定のサンプル・レートで発生する複素信号値として前記複素信号を供給するステップと、
前記複素信号値をより高いサンプル・レートにアップサンプルするステップと、
前記より高いサンプル・レートで発生する別の複素数値の反復シーケンスを供給するステップと、
アップサンプルされた前記複素信号値で前記別の複素数値を変調して、複素信号で変調された前記複素キャリアを供給するステップと、
を含む、変調された複素キャリアを発生する方法。
【請求項１０】  
前記アップサンプルするステップは２つの段階で実行され、変調は各段階の後で実行されるものである、請求項９に記載の方法。
【請求項１１】  
所定の周波数帯域幅にわたってデータによって変調された所定のキャリア周波数値からなるアナログ信号を取り出す装置であって、
前記データによって変調されたサンプルされたキャリアを規定するディジタル・サンプル値のストリームを発生させるディジタル回路を具え、
前記ストリームの連続するサンプルは所定のサンプル周波数のレートで発生し、前記サンプルされたキャリアは所定のキャリア周波数値を有するものであり、
さらに、ディジタル−アナログ変換器（Ｄ／Ａ）と、
前記所定のサンプル周波数の前記レートでディジタル・サンプル値の前記ストリームを前記Ｄ／Ａ変換器にその入力として供給する手段と、
を具え、
それによって、前記Ｄ／Ａ変換器からの出力は前記アナログ信号を構成するものであり、
前記ディジタル回路は、
データ・サンプル値の、ＤＣ中心の実部（±Ｒ）および虚部（±Ｉ）のサンプルされたデータストリームのソースと、
ディジタル複素変調器を含み、このディジタル複素変調器は、この変調器に変調信号入力として供給されるデータ・サンプル値の、前記ＤＣ中心の実部（±Ｒ）および虚部（±Ｉ）のサンプルされたデータストリームに応答して、前記ディジタル回路からサンプルされたデータ変調された擬似キャリア出力として全て正（＋）のサンプル値からなる１つのデータ変調されたサンプルされたＲストリームを取り出すものである、
アナログ信号を取り出す装置。
【請求項１２】  
前記データ・サンプル値の、±Ｒおよび±Ｉのデータストリームが連続したデータ・シンボルの各々を規定し、前記１つのデータ変調されたサンプルされたＲストリームは、８６．０８Ｍｈｚのサンプリング周波数レートで発生し、
前記±Ｒおよび±Ｉのデータストリームが概ね８６．０８ＭＨｚのサンプリング周波数レートで発生し、各データ・シンボルが前記±Ｒおよび±Ｉのデータストリームの８個の連続したデータ・サンプル値によって規定される、
請求項１１に記載の装置。
【請求項１３】  
前記所定のキャリア周波数値は、６ＭＨｚの帯域幅を有するテレビジョン・チャンネル３および４から選択された１つの中心周波数であり、
前記１つのデータ変調されたサンプルされたＲストリームは、前記テレビジョン・チャンネル３および４から選択された１つが６３ＭＨｚを中心とするテレビジョン・チャンネル３であるときに概ね−２３．０８ＭＨｚのデータ変調されたサンプルされた擬似キャリア周波数値を規定し、前記テレビジョン・チャンネル３および４から選択された１つが６９ＭＨｚを中心とするテレビジョン・チャンネル４であるときに概ね−１７．０８ＭＨｚのデータ変調されたサンプルされた擬似キャリア周波数値を取り出す、
請求項１２に記載の装置。
【請求項１４】  
前記ディジタル回路は、
入力として供給されるソースからのディジタル化されたパルス・コード変調（ＰＣＭ）サンプルのストリームに応答して±Ｒおよび±ＩのサンプルされたデータストリームのＤＣ中心残留側波帯（ＶＳＢ）データ・サンプル値を出力として取り出す１サンプル／１ＰＣＭシンボル−ＤＣ中心ＶＳＢ変換器と、
入力として供給される前記１サンプル／１ＰＣＭシンボル−ＤＣ中心ＶＳＢ変換器からの±Ｒおよび±Ｉのサンプルされたデータストリームのデータ・サンプル値に応答して±Ｒおよび±Ｉのサンプルされたデータストリームのデータ・サンプル値を出力として取り出し、前記ディジタル複素変調器に対する変調信号入力として供給する手段と、
を具える、請求項１１に記載の装置。
【請求項１５】  
前記ソースからのディジタル化されたＰＣＭサンプルの前記ストリーム、前記１サンプル／１ＰＣＭシンボル−ＤＣ中心ＶＳＢ変換器からのサンプルされたデータストリーム、および前記ディジタル複素変調器に対する変調信号入力として供給される前記±Ｒおよび±Ｉのサンプルされたデータストリームは、全て、サンプリング周波数の値、前記所定のサンプリング周波数レートの値の所定の劣調波のレートで発生する、請求項１４に記載の装置。
【請求項１６】  
前記１つのデータ変調されたサンプルされたＲストリームは、概ね５．３８ＭＨｚのキャリア周波数値を中心とするデータ変調されたサンプルされた６ＭＨｚ帯域幅のベースバンド・キャリアを規定する、請求項１３に記載の装置。